(57)【要約】【課題】操作性を向上し、撮像効率を向上可能する。【解決手段】検査確率算出装置１１１によって算出された各検査項目の確率に応じて異なるように、その複数の検査項目を表示部３３が表示する。たとえば、検査確率算出装置１１１によって算出された各検査項目の確率に応じて異なるフォントサイズや異なる色になるように、その複数の検査項目に対応する文字情報を表示する。【選択図】図５
2008073228.tif 000002
【特許請求の範囲】
【請求項１】
被検体の撮像領域について撮像する際の検査項目を複数表示する表示部と、前記表示部に表示された前記複数の検査項目から検査項目を選択する選択部と、前記選択部によって選択された検査項目に対応するように前記撮像領域を撮像する撮像部とを有する画像診断システムであって、
前記選択部が前記複数の検査項目において選択した各検査項目の確率を算出する検査確率算出部
を含み、
前記表示部は、前記検査確率算出部によって算出された各検査項目の確率に応じて異なるように、前記複数の検査項目を表示する
画像診断システム。
【請求項２】
前記表示部に表示された前記複数の検査項目を選択する指令がオペレータによって入力される選択指令入力部
を含み、
前記選択部は、前記選択指令入力部に入力された指令に基づいて前記検査項目を選択する
請求項１に記載の画像診断システム。
【請求項３】
前記撮像領域に関する検査依頼内容が入力される検査依頼入力部と、
前記検査依頼入力部に入力された前記検査依頼内容と、当該検査依頼内容が入力された際に前記選択部によって前記複数の検査項目から選択された前記検査項目とを互いに関連付けた検査情報を記憶する記憶部
を含み、
前記表示部は、前記記憶部によって記憶されている前記検査情報に基づいて、前記検査依頼内容が入力された際に前記選択部によって前記複数の検査項目から選択された前記検査項目を表示する
請求項１または２に記載の画像診断システム。
【請求項４】
前記撮像部は、
前記撮像領域をスキャンしローデータを取得するスキャン部と、
前記スキャン部によって取得されたローデータに基づいて、前記撮像領域の画像を生成する画像生成部と
を含む
請求項１から３のいずれかに記載の画像診断システム。
【請求項５】
前記スキャン部は、静磁場空間にて前記撮像領域において生ずる磁気共鳴信号を前記ローデータとして得るスキャンを実施し、
前記画像生成部は、前記スキャン部によって得られた前記磁気共鳴信号に基づいて、前記被検体の画像を生成する
請求項４に記載の画像診断システム。
【請求項６】
前記表示部は、前記複数の検査項目を文字情報にて表示する
請求項１から５のいずれかに記載の画像診断システム。
【請求項７】
前記表示部は、前記検査確率算出部によって算出された各検査項目の確率に応じて異なるフォントサイズになるように、前記複数の検査項目に対応する文字情報を表示する
請求項６に記載の画像診断システム。
【請求項８】
前記表示部は、前記検査確率算出部によって算出された各検査項目の確率に応じて異なる色になるように、前記複数の検査項目に対応する文字情報を表示する
請求項６または７に記載の画像診断システム。
【請求項９】
前記表示部は、前記検査確率算出部によって算出された各検査項目の確率に応じて異なる明度になるように、前記複数の検査項目に対応する文字情報を表示する
請求項８に記載の画像診断システム。
【請求項１０】
検査確率算出部は、予め定められたタイミングで、前記確率を算出する処理を実行する
請求項１から９のいずれかに記載の画像診断システム。
【請求項１１】
被検体の撮像領域について撮像する際の検査項目を複数表示する表示部と、前記表示部に表示された前記複数の検査項目から検査項目を選択する選択部とを有する操作装置であって、
前記選択部が前記複数の検査項目において選択した各検査項目の確率を算出する検査確率算出部
を含み、
前記表示部は、前記検査確率算出部によって算出された各検査項目の確率に応じて異なるように、前記複数の検査項目を表示する
操作装置。
【請求項１２】
前記表示部に表示された前記複数の検査項目を選択する指令がオペレータによって入力される選択指令入力部
を含み、
前記選択部は、前記選択指令入力部に入力された指令に基づいて前記検査項目を選択する
請求項１１に記載の操作装置。
【請求項１３】
前記撮像領域に関する検査依頼内容が入力される検査依頼入力部と、
前記検査依頼入力部に入力された前記検査依頼内容と、当該検査依頼内容が入力された際に前記選択部によって前記複数の検査項目から選択された前記検査項目とを互いに関連付けた検査情報を記憶する記憶部
を有し、
前記表示部は、前記記憶部によって記憶されている前記検査情報に基づいて、前記検査依頼内容が入力された際に前記選択部によって前記複数の検査項目から選択された前記検査項目を表示する
請求項１１または１２に記載の操作装置。
【請求項１４】
前記表示部は、前記複数の検査項目を文字情報にて表示する
請求項１１から１３のいずれかに記載の操作装置。
【請求項１５】
前記表示部は、前記検査確率算出部によって算出された各検査項目の確率に応じて異なるフォントサイズになるように、前記複数の検査項目に対応する文字情報を表示する
請求項１４に記載の操作装置。
【請求項１６】
前記表示部は、前記検査確率算出部によって算出された各検査項目の確率に応じて異なるフォントの色になるように、前記複数の検査項目に対応する文字情報を表示する
請求項１４または１５に記載の操作装置。
【請求項１７】
前記表示部は、前記検査確率算出部によって算出された各検査項目の確率に応じて異なる明度になるように、前記複数の検査項目に対応する文字情報を表示する
請求項１６に記載の操作装置。
【請求項１８】
検査確率算出部は、予め定められたタイミングで、前記確率を算出する処理を実行する
請求項１１から１７のいずれかに記載の操作装置。
【発明の詳細な説明】
【技術分野】
【０００１】
本発明は、画像診断システムおよびその操作装置に関する。特に、被検体の撮像領域について撮像する際の検査項目を複数表示した後に、その表示された複数の検査項目から検査項目を選択し、その選択された検査項目に対応するように設定される検査プロトコルを実施することによって撮像領域を撮像する画像診断システムおよびその操作装置に関する。
【背景技術】
【０００２】
磁気共鳴イメージング（ＭＲＩ：Ｍａｇｎｅｔｉｃ  Ｒｅｓｏｎａｎｃｅ  Ｉｍａｇｉｎｇ）装置などの撮像装置を含む画像診断システムは、被検体の断層面についてのスライス画像などの診断画像を撮像するシステムとして知られている。
【０００３】
たとえば、磁気共鳴イメージング装置を用いてスライス画像を撮像する際においては、まず、静磁場が形成された空間内に被検体の撮像領域を収容し、その撮像領域内におけるプロトン（ｐｒｏｔｏｎ）のスピンの方向を、静磁場の方向へ整列させて、磁化ベクトルを得た状態にする。その後、ＲＦコイルから共鳴周波数の電磁波を撮像領域に照射することにより、核磁気共鳴現象を発生させてプロトンの磁化ベクトルを変化させる。そして、磁気共鳴イメージング装置は、元の磁化ベクトルへ戻るプロトンからの磁気共鳴信号を、ＲＦコイルで受信し、その受信した磁気共鳴信号に基づいて、スライス画像を生成する。
【０００４】
このような画像診断システムは、操作装置によって操作される。たとえば、操作装置は、グラフィカル・ユーザー・インターフェイス（ＧＵＩ）であり、病院内の依頼科からの依頼を受けた検査技師などのオペレータがマニュアルでＧＵＩを操作することによって撮影プロトコルが呼び出され、そのオペレータによって選択される検査項目が表示画面に複数表示される。そして、オペレータが表示画面に表示された複数の検査項目から、実行させる検査項目を選択し、その選択に対応する指令を入力する。その後、その入力された指令に基づいて、撮影プロトコルが設定され、実行される（たとえば、特許文献１参照）。
【０００５】
【特許文献１】特開２００２−１６５７７５号公報
【発明の開示】
【発明が解決しようとする課題】
【０００６】
しかしながら、このような操作装置においては、表示画面に複数の検査項目が表示され、その複数の検査項目にオペレータが選択した指令を入力するために、効率的に検査を実行することが困難な場合があった。たとえば、オペレータが熟練していない者である場合においては、実行させる検査項目を選択する際の判断や入力操作に時間を要する場合があるために、被検体を撮像する際の撮像効率が低下する場合があった。
【０００７】
特に、磁気共鳴イメージング装置の場合においては、検査項目が多数存在し、複雑化しているために、上記の不具合が顕在化する場合が多い。
【０００８】
したがって、本発明の目的は、操作性を向上し、撮像効率を向上可能な画像診断システムおよびその操作装置を提供することにある。
【課題を解決するための手段】
【０００９】
上記目的を達成するため、本発明の画像診断システムは、被検体の撮像領域について撮像する際の検査項目を複数表示する表示部と、前記表示部に表示された前記複数の検査項目から検査項目を選択する選択部と、前記選択部によって選択された検査項目に対応するように前記撮像領域を撮像する撮像部とを有する画像診断システムであって、前記選択部が前記複数の検査項目において選択した各検査項目の確率を算出する検査確率算出部を含み、前記表示部は、前記検査確率算出部によって算出された各検査項目の確率に応じて異なるように、前記複数の検査項目を表示する。
【００１０】
上記目的を達成するため、本発明の操作装置は、被検体の撮像領域について撮像する際の検査項目を複数表示する表示部と、前記表示部に表示された前記複数の検査項目から検査項目を選択する選択部とを有する操作装置であって、前記選択部が前記複数の検査項目において選択した各検査項目の確率を算出する検査確率算出部を含み、前記表示部は、前記検査確率算出部によって算出された各検査項目の確率に応じて異なるように、前記複数の検査項目を表示する。
【発明の効果】
【００１１】
本発明によれば、操作性を向上し、撮像効率を向上可能な画像診断システムおよびその操作装置を提供することができる。
【発明を実施するための最良の形態】
【００１２】
以下より、本発明にかかる実施形態の一例について図面を参照して説明する。
【００１３】
（構成）
図１は、本発明にかかる実施形態において、画像診断システム２００の要部を示す全体ブロック図である。
【００１４】
図１に示すように、画像診断システム２００は、磁気共鳴イメージング装置１と、検査確率算出装置１１１と、画像管理システム１２１と、院内情報システム１３１とを有しており、たとえば、病院内に配置されている。画像診断システム２００においては、図１に示すように、磁気共鳴イメージング装置１と検査確率算出装置１１１とが接続されている。そして、検査確率算出装置１１１と画像管理システム１２１とが接続されていると共に、検査確率算出装置１１１と院内情報システム１３１とが接続されている。すなわち、検査確率算出装置１１１と画像管理システム１２１と院内情報システム１３１とのそれぞれがネットワークを形成するように接続されている。
【００１５】
画像診断システム２００を構成する磁気共鳴イメージング装置１について説明する。
【００１６】
図２は、本発明にかかる実施形態において、磁気共鳴イメージング装置１の構成を示す構成図である。
【００１７】
図２に示すように、磁気共鳴イメージング装置１は、スキャン部２と、操作コンソール部３とを有しており、たとえば、病院内の撮像室に配置されている。詳細については後述するが、本実施形態においては、磁気共鳴イメージング装置１は、操作コンソール３を構成する選択部３５によって選択された検査項目に対応するように、被検体ＳＵの撮像領域を撮像する。
【００１８】
スキャン部２について説明する。
【００１９】
スキャン部２は、図２に示すように、静磁場マグネット部１２と、勾配コイル部１３と、ＲＦコイル部１４と、ＲＦ駆動部２２と、勾配駆動部２３と、データ収集部２４と、クレードル２６とを有しており、静磁場が形成された撮影空間Ｂ内において被検体ＳＵからの磁気共鳴信号をローデータとして得るスキャンを実施する。
【００２０】
スキャン部２の各構成要素について、順次、説明する。
【００２１】
静磁場マグネット部１２は、たとえば、被検体ＳＵが収容される撮像空間Ｂを挟むように設けられた超伝導磁石を含み、その超伝導磁石が撮像空間Ｂに静磁場を形成する。ここでは、静磁場マグネット部１２は、被検体ＳＵの体軸方向に沿った方向Ｚに静磁場の方向が沿うように静磁場を形成する。なお、静磁場マグネット部１２は、永久磁石により構成されていてもよい。
【００２２】
勾配コイル部１３は、静磁場が形成された撮像空間Ｂに勾配磁場を形成し、ＲＦコイル部１４が受信する磁気共鳴信号に位置情報を付加する。ここでは、勾配コイル部１３は、３系統からなり、撮像条件に応じて、周波数エンコード方向と位相エンコード方向とスライス選択方向とのそれぞれに勾配磁場を形成する。具体的には、勾配コイル部１３は、被検体ＳＵのスライス選択方向に勾配磁場を印加し、ＲＦコイル部１４がＲＦパルスを送信することによって励起させる被検体ＳＵのスライスを選択する。また、勾配コイル１３は、被検体ＳＵの位相エンコード方向に勾配磁場を印加し、ＲＦパルスにより励起されたスライスからの磁気共鳴信号を位相エンコードする。そして、勾配コイル部１３は、被検体ＳＵの周波数エンコード方向に勾配磁場を印加し、ＲＦパルスにより励起されたスライスからの磁気共鳴信号を周波数エンコードする。
【００２３】
ＲＦコイル部１４は、図２に示すように、被検体ＳＵの撮像領域を囲むように配置される。ＲＦコイル部１４は、静磁場マグネット部１２によって静磁場が形成される撮像空間Ｂ内において、電磁波であるＲＦパルスを被検体ＳＵに送信して高周波磁場を形成し、被検体ＳＵの撮像領域におけるプロトンのスピンを励起する。そして、ＲＦコイル部１４は、その励起された被検体ＳＵ内のプロトンから発生する電磁波を磁気共鳴信号として受信する。
【００２４】
ＲＦ駆動部２２は、ＲＦコイル部１４を駆動させて撮像空間Ｂ内にＲＦパルスを送信させて高周波磁場を形成する。ＲＦ駆動部２２は、制御部３０からの制御信号に基づいて、ゲート変調器を用いてＲＦ発振器からの信号を所定のタイミングおよび所定の包絡線の信号に変調した後に、そのゲート変調器により変調された信号を、ＲＦ電力増幅器によって増幅してＲＦコイル部１４に出力し、ＲＦパルスを送信させる。
【００２５】
勾配駆動部２３は、制御部３０からの制御信号に基づいて、勾配パルスを勾配コイル部１３に印加して駆動させ、静磁場が形成されている撮像空間Ｂ内に勾配磁場を発生させる。勾配駆動部２３は、３系統の勾配コイル部１３に対応して３系統の駆動回路（図示なし）を有する。
【００２６】
データ収集部２４は、制御部３０からの制御信号に基づいて、ＲＦコイル部１４が受信する磁気共鳴信号を収集し、画像生成部３１に出力する。データ収集部２４は、位相エンコードと周波数エンコードとが施された磁気共鳴信号をｋ空間に対応するように収集する。ここでは、データ収集部２４は、ＲＦコイル部１４が受信する磁気共鳴信号をＲＦ駆動部２２のＲＦ発振器の出力を参照信号として位相検波器が位相検波する。その後、Ａ／Ｄ変換器を用いて、このアナログ信号である磁気共鳴信号をデジタル信号に変換する。そして、データ収集部２４は、この磁気共鳴信号をメモリに記憶した後に、画像生成部３１に出力する。
【００２７】
クレードル２６は、被検体ＳＵを載置する台を有する。クレードル部２６は、制御部３０からの制御信号に基づいて、撮像空間Ｂの内部と外部との間を移動する。
【００２８】
操作コンソール部３について説明する。
【００２９】
操作コンソール部３は、図２に示すように、制御部３０と、画像生成部３１と、操作部３２と、表示部３３と、記憶部３４と、選択部３５とを有する。
【００３０】
操作コンソール部３の各構成要素について、順次、説明する。
【００３１】
制御部３０は、コンピュータと、コンピュータを用いて所定のスキャンに対応する動作を各部に実行させるプログラムを記憶するメモリとを有しており、操作部３２からの操作データが入力される。そして、制御部３０は、操作部３２から入力される操作データに基づいて、ＲＦ駆動部２２と勾配駆動部２３とデータ収集部２４とのそれぞれに、所定のスキャンを実行させる制御信号を出力し制御を行う。また、制御部３０は、操作部３２から入力される操作データに基づいて、画像生成部３１と表示部３３と記憶部３４とへ制御信号を出力し制御を行う。本実施形態においては、制御部３０は、選択部３５によって選択された検査項目に対応するように検査プロトコルを設定し、その設定に基づいて各部を制御することによって、被検体ＳＵの撮像領域を撮像させる。
【００３２】
画像生成部３１は、コンピュータと、そのコンピュータに所定のデータ処理を実行させるプログラムを記憶しているメモリとを有しており、制御部３０からの制御信号に基づいて、データ収集部２４により収集された磁気共鳴信号を取得し、その取得した磁気共鳴信号に対して画像処理を行って、被検体ＳＵのスライスについての画像を生成する。そして、画像生成部３１は、その生成した画像を表示部３３に出力する。
【００３３】
操作部３２は、キーボードやポインティングデバイスなどの操作デバイスにより構成されている。操作部３２は、オペレータによって操作データが入力され、その操作データを制御部３０に出力する。詳細については後述するが、本実施形態においては、表示部３３に表示された複数の検査項目から検査項目を選択する指令がオペレータによって入力される。
【００３４】
表示部３３は、ＣＲＴなどの表示デバイスにより構成されており、制御部３０からの制御信号に基づいて、表示画面に画像を表示する。たとえば、表示部３３は、被検体ＳＵからの磁気共鳴信号に基づいて生成される被検体ＳＵのスライス画像についてのデータを画像生成部３１から受け、表示画面にそのスライス画像を表示する。また、詳細については後述するが、この他に、本実施形態においては、表示部３３は、被検体ＳＵの撮像領域について撮像する際の検査項目を複数表示する。ここでは、表示部３３は、検査確率算出装置１１１によって算出された各検査項目の確率に応じて異なるように、複数の検査項目を表示する。具体的には、表示部３３は、検査依頼内容と、その検査依頼内容が入力された際に選択部３５によって複数の検査項目から選択された検査項目とを互いに関連付けて画像管理システム１２１が記憶している検査情報に基づいて、その検査依頼内容が入力された際に選択部３５によって選択された検査項目を複数表示する。本実施形態においては、表示部３３は、その複数の検査項目を文字情報にて表示する。たとえば、表示部３３は、検査確率算出装置１１１によって算出された各検査項目の確率に応じて異なるフォントサイズになるように、その複数の検査項目に対応する文字情報を表示する。また、表示部３３は、検査確率算出装置１１１によって算出された各検査項目の確率に応じて異なる色になるように、その複数の検査項目に対応する文字情報を表示する。たとえば、明度を変えて表示する。
【００３５】
記憶部３４は、メモリにより構成されており、各種データを記憶している。記憶部３４は、その記憶されたデータが必要に応じて制御部３０によってアクセスされる。
【００３６】
選択部３５は、コンピュータと、コンピュータに所定の動作を実行させるプログラムを記憶するメモリとを有しており、表示部３３に表示された複数の検査項目から検査項目を選択する。本実施形態においては、選択部３５は、オペレータによって操作部３２に入力された指令に基づいて検査項目を選択する。
【００３７】
画像診断システム２００を構成する検査確率算出装置１１１について説明する。
【００３８】
検査確率算出装置１１１は、コンピュータと、コンピュータに所定の動作を実行させるプログラムや各種データを記憶するメモリとを有し、たとえば、病院内のコンピュータ室に配置されており、磁気共鳴イメージング装置１の選択部３５が複数の検査項目において選択した各検査項目の確率を算出する。詳細については後述するが、本実施形態においては、検査確率算出装置１１１は、院内情報システム１３１にて入力された検査依頼内容と、その検査依頼内容が入力された際に選択部３５によって複数の検査項目から選択された検査項目とを互いに関連付けて記憶している検査情報を画像管理システム１２１から受けた後に、その検査依頼内容ごとに選択された検査項目を検査プロトコルとして分類する。そして、その検査プロトコルとして分類した検査項目のそれぞれについて、選択された確率を算出する。すなわち、複数の検査項目のそれぞれについて選択された頻度を算出する。検査確率算出装置１１１は、予め定められたタイミングで、上記の算出処理を実行する。たとえば、病院内での診察が終了し、再度、診察が開始されるまでの間において、上記の算出処理を実行し、その検査確率の算出結果をデータとして記憶する。そして、検査確率算出装置１１１は、医師が院内情報システム１３１へ検査依頼内容を入力した場合には、その検査依頼内容に対応する検査項目に関する検査確率の算出結果を、磁気共鳴イメージング装置１へ出力する。
【００３９】
画像診断システム２００を構成する画像管理システム１２１について説明する。
【００４０】
画像管理システム１２１は、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）であって記憶装置を含み、撮像された画像に関する情報をデータとして記憶する。本実施形態においては、画像管理システム１２１は、院内情報システム１３１に記憶された検査依頼内容と、その検査依頼内容が入力された際に選択部３５によって複数の検査項目から選択された検査項目とを互いに関連付けて検査情報として記憶する。
【００４１】
画像診断システム２００を構成する院内情報システム１３１について説明する。
【００４２】
院内情報システム１３１は、記憶装置を含み、被検体の撮像領域に関して医師が入力した検査依頼内容や画像診断結果に関する情報をデータとして記憶する。また、院内情報システム１３１は、検査確率算出装置１１１に接続されており、その入力された検査依頼内容のデータが検査確率算出装置１１１に出力される。
【００４３】
（動作）
以下より、上記の本発明にかかる実施形態において、画像診断システム２００の動作について説明する。
【００４４】
検査項目の確率を算出する際の動作について説明する。
【００４５】
図３は、本発明にかかる実施形態において、画像診断システム２００が検査項目の確率を算出する際の動作を示すフロー図である。
【００４６】
まず、図３に示すように、検査依頼内容と、その検査依頼内容が入力された際に選択された検査項目とを互いに関連付けて記憶している検査情報を取得する（ＳＴ１１１）。
【００４７】
ここでは、上述したように、医師によって入力され、院内情報システム１３１にて記憶されている検査依頼内容と、その検査依頼内容が入力された際にオペレータからの指令に基づいて選択部３５によって複数の検査項目から選択された検査項目とを互いに関連付けて画像管理システム１２１が記憶している検査情報を、検査確率算出装置１１１が画像管理システム１２１から受ける。
【００４８】
たとえば、「脳腫瘍疑い」の検査依頼内容と、その「脳腫瘍疑い」の検査依頼内容が依頼された際に選択された「Ｌｏｃａｌｉｚｅｒ」，「Ｔ１  Ａｘｉａｌ」，「Ｔ２  Ａｘｉａｌ」，「ＦＬＡＩＲ  Ａｘｉａｌ］，「ＤＴＩ」，「ＭＲＳ  ｓｉｎｇｌｅ  ｖｏｘｅｌ」，「ＰＷＩ」，「ＣＥ  Ｔ１  Ａｘｉａｌ」の複数の検査項目とを関連付けた情報を含む検査情報を取得する。すなわち、病院内の各科にて依頼された検査依頼内容と、その依頼内容に対応するように選択され実行された検査項目とを関連付けた各情報を、検査情報として受ける。
【００４９】
なお、上記において「Ｌｏｃａｌｉｚｅｒ」は、被検体の撮像領域を位置決めするために実施する検査項目である。また、「Ｔ１  Ａｘｉａｌ」は、撮像領域のアキシャル面についてＴ１強調画像を得る検査項目であり、「Ｔ２  Ａｘｉａｌ」は、撮像領域のアキシャル面についてＴ２強調画像を得る検査項目であり、「ＦＬＡＩＲ  Ａｘｉａｌ」は、撮像領域のアキシャル面についてＦＬＡＩＲ（Ｆｌｕｉｄ  Ａｔｔｅｎｕａｔｅｄ  Ｉｎｖｅｒｓｉｉｏｎ  Ｒｅｃｏｖｅｒｙ）画像を得る検査項目である。また、「ＤＴＩ」は、ＤＴＩ（Ｄｉｆｆｕｓｉｏｎ  Ｔｅｎｓｏｒ  ｉｍａｇｉｎｇ）画像を得る検査項目であり、「ＭＲＳ  ｓｉｎｇｌｅ  ｖｏｘｅｌ」は、シングルボクセルについてのＭＲＳ（ＭＲ  Ｓｐｅｃｔｒｏｓｃｏｐｙ）データを得る検査項目である。また、「ＰＷＩ」は、ＰＷＩ（Ｐｅｒｆｕｓｉｏｎ  Ｗｅｉｇｈｔｅｄ  Ｉｍａｇｉｎｇ）画像を得る検査項目であり、「ＣＥ  Ｔ１  Ａｘｉａｌ」は、撮像領域のアキシャル面についてＣＥ（Ｃｏｎｔｒａｓｔ  Ｅｎｈａｎｃｅｄ）Ｔ１強調画像を得る検査項目である。
【００５０】
つぎに、図３に示すように、検査依頼内容ごとに、選択された検査項目を分類する（Ｓ１２１）。
【００５１】
ここでは、上記のように画像管理システム１２１から受けた検査情報を、検査確率算出装置１１１が、検査依頼内容ごとに分類する。
【００５２】
たとえば、検査依頼内容が「脳腫瘍疑い」の場合においては、その「脳腫瘍疑い」の検査依頼内容が依頼された際に選択された「Ｌｏｃａｌｉｚｅｒ」，「Ｔ１  Ａｘｉａｌ」，「Ｔ２  Ａｘｉａｌ」，「ＦＬＡＩＲ  Ａｘｉａｌ」，「ＤＴＩ」，「ＭＲＳ  ｓｉｎｇｌｅ  ｖｏｘｅｌ」，「ＰＷＩ」，「ＣＥ  Ｔ１  Ａｘｉａｌ」の複数の検査項目のそれぞれについて選択された選択回数に関するデータを抽出して、検査プロトコルとして分類し記憶する。
【００５３】
つぎに、図３に示すように、検査項目のそれぞれについて、選択された確率を算出する（Ｓ１３１）。
【００５４】
ここでは、検査依頼内容ごとに分類した検査項目のそれぞれについて、検査確率算出装置１１１が、その選択された確率を算出する。
【００５５】
具体的には、検査依頼内容が「脳腫瘍疑い」の場合においては、「Ｌｏｃａｌｉｚｅｒ」，「Ｔ１  Ａｘｉａｌ」，「Ｔ２  Ａｘｉａｌ」，「ＦＬＡＩＲ  Ａｘｉａｌ」，「ＤＴＩ」，「ＭＲＳ  ｓｉｎｇｌｅ  ｖｏｘｅｌ」，「ＰＷＩ」，「ＣＥ  Ｔ１  Ａｘｉａｌ」の複数の検査項目が分類された際には、この検査項目のそれぞれが選択された選択回数が、「脳腫瘍疑い」の検査依頼内容が依頼された依頼回数全体において占める割合を算出することによって、この確率を算出する。たとえば、「Ｌｏｃａｌｉｚｅｒ」，「Ｔ１  Ａｘｉａｌ」，「Ｔ２  Ａｘｉａｌ」，「ＦＬＡＩＲ  Ａｘｉａｌ」，「ＣＥ  Ｔ１  Ａｘｉａｌ」の検査項目については、高い確率であって、「ＤＴＩ」，「ＰＷＩ」の検査項目については、中程度の確率であり、「ＭＲＳ  ｓｉｎｇｌｅ  ｖｏｘｅｌ」の検査項目については、小さい確率であることが算出される。本実施形態においては、予め定められたタイミングで、この算出処理を実行する。たとえば、病院内での診察が終了し、再度、診察が開始されるまでの間である夜間において、上記の算出処理を実行し、その算出結果をデータとして記憶する。
【００５６】
被検体の撮像領域を撮像する際の動作について説明する。
【００５７】
図４は、本発明にかかる実施形態において、画像診断システム２００が被検体の撮像領域を撮像する際の動作を示すフロー図である。
【００５８】
まず、図４に示すように、検査依頼内容の情報を受ける（ＳＴ２１１）。
【００５９】
ここでは、医師が院内情報システム１３１へ入力した検査依頼内容を、検査確率算出装置１１１が院内情報システム１３１から受ける。
【００６０】
たとえば、検査依頼内容が「脳腫瘍疑い」である旨のデータを受ける。
【００６１】
つぎに、図４に示すように、検査依頼内容に対応した検査プロトコルを出力する（ＳＴ２２１）。
【００６２】
ここでは、検査依頼内容ごとに選択された検査項目を分類した検査プロトコルを、検査確率算出装置１１１が磁気共鳴イメージング装置１の操作コンソール３に出力する。
【００６３】
つぎに、図４に示すように、検査プロトコルに対応した検査項目を複数表示する（ＳＴ２３１）。
【００６４】
ここでは、検査確率算出装置１１１が出力した検査プロトコルに対応するように、被検体ＳＵの撮像領域について撮像する際の検査項目を、操作コンソール３の表示部３３が複数表示する。
【００６５】
本実施形態においては、検査確率算出装置１１１によって算出された各検査項目の確率に応じて異なるように、その複数の検査項目を表示部３３が表示する。
【００６６】
図５は、本発明にかかる実施形態において、表示部３３が検査項目を複数表示する表示画面の要部を示す図である。
【００６７】
図５（ａ）に示すように、その複数の検査項目を表示部３３が文字情報にて表示する。たとえば、検査確率算出装置１１１によって算出された各検査項目の確率に応じて異なるフォントサイズになるように、その複数の検査項目に対応する文字情報を含むボタンを表示画面に表示する。
【００６８】
具体的には、上述したように、検査依頼内容が「脳腫瘍疑い」の場合の検査プロトコルにおいて、「Ｌｏｃａｌｉｚｅｒ」，「Ｔ１  Ａｘｉａｌ」，「Ｔ２  Ａｘｉａｌ」，「ＦＬＡＩＲ  Ａｘｉａｌ」，「ＣＥ  Ｔ１  Ａｘｉａｌ」の検査項目について高い確率であることが算出され、「ＤＴＩ」，「ＰＷＩ」の検査項目について中程度の確率であることが算出され、「ＭＲＳ  ｓｉｎｇｌｅ  ｖｏｘｅｌ」の検査項目について小さい確率であることが算出された場合には、その算出結果に対応するように、図５（ａ）に示すように、「Ｌｏｃａｌｉｚｅｒ」，「Ｔ１  Ａｘｉａｌ」，「Ｔ２  Ａｘｉａｌ」，「ＦＬＡＩＲ  Ａｘｉａｌ」，「ＣＥ  Ｔ１  Ａｘｉａｌ」の検査項目については、大きなフォントサイズで表示し、「ＤＴＩ」，「ＰＷＩ」の検査項目については、中程度のフォントサイズで表示し、「ＭＲＳ  ｓｉｎｇｌｅ  ｖｏｘｅｌ」の検査項目については、小さなフォントサイズで表示する。
【００６９】
なお、図５（ｂ）に示すように、検査確率算出装置１１１によって算出された各検査項目の確率に応じて異なる色になるように、その複数の検査項目に対応する文字情報を表示してもよい。その際には、たとえば、明度を変えて表示する。
【００７０】
具体的には、図５（ａ）に示すように、「Ｌｏｃａｌｉｚｅｒ」，「Ｔ１  Ａｘｉａｌ」，「Ｔ２  Ａｘｉａｌ」，「ＦＬＡＩＲ  Ａｘｉａｌ」，「ＣＥ  Ｔ１  Ａｘｉａｌ」の検査項目については、高濃度な色濃度になるように表示し、「ＤＴＩ」，「ＰＷＩ」の検査項目については、中程度な色濃度になるように表示し、「ＭＲＳ  ｓｉｎｇｌｅ  ｖｏｘｅｌ」の検査項目については、低濃度な色濃度になるように表示する。
【００７１】
つぎに、図４に示すように、実行する検査項目を選択する（ＳＴ２４１）。
【００７２】
ここでは、表示部３３に表示された複数の検査項目から検査項目を選択する指令がオペレータによって入力された後に、そのオペレータによって操作部３２に入力された指令に基づいて選択部３５が検査項目を選択する。
【００７３】
たとえば、図５に示すように、検査依頼内容が「脳腫瘍疑い」の場合において、高い確率で実施されている「Ｌｏｃａｌｉｚｅｒ」，「Ｔ１  Ａｘｉａｌ」，「Ｔ２  Ａｘｉａｌ」，「ＦＬＡＩＲ  Ａｘｉａｌ」，「ＣＥ  Ｔ１  Ａｘｉａｌ」のボタンを順次選択するように、オペレータがポインティングデバイスを操作して表示画面の座標位置を入力することで選択が実施される。
【００７４】
なお、上述したように、ここで選択した情報は、院内情報システム１３１に記憶された検査依頼内容に関連付けて画像管理システム１２１が検査情報として記憶する。そして、検査確率がその検査情報に基づいて算出される。
【００７５】
つぎに、図４に示すように、被検体の撮像領域を撮像する（ＳＴ２５１）。
【００７６】
ここでは、たとえば、オペレータが操作部３２のポインティングデバイスを用いてスキャン開始のボタンをクリックすることにより、スキャンを開始させる操作データを入力し、選択された検査項目に対応するようにスキャンをスキャン部２が実施する。これにより、静磁場が形成された撮影空間Ｂ内において被検体ＳＵの磁気共鳴信号をローデータとして得る。そして、そのスキャンにより得られた磁気共鳴信号に基づいて、検査項目に対応するように、被検体ＳＵについての画像を画像生成部３１が生成する。そして、その生成した画像を画像生成部３１が表示部３３に出力し、その画像を表示部３３が表示画面に表示する。
【００７７】
以上のように、本実施形態においては、検査確率算出装置１１１によって算出された各検査項目の確率に応じて異なるように、その複数の検査項目を表示部３３が表示する。ここでは、たとえば、検査確率算出装置１１１によって算出された各検査項目の確率に応じて異なるフォントサイズや異なる色になるように、その複数の検査項目に対応する文字情報を表示する。このため、本実施形態は、たとえば、オペレータが熟練していない者である場合であっても、実行させる検査項目を選択する際の判断や入力操作を効率的に実施できるために、被検体を撮像する際の撮像効率を向上させることができる。
【００７８】
また、本実施形態においては、予め定められたタイミングで、この確率を算出する処理を検査確率算出装置１１１が実行する。たとえば、病院内での診察が終了し、再度、診察が開始されるまでの間において、この算出処理を実行し、その検査確率の算出結果をデータとして記憶する。このため、本実施形態は、上記のように複数の検査項目を表示部３３が表示する処理を効率的に実施することができるため、被検体を撮像する際の撮像効率を向上させることができる。
【００７９】
なお、上記の実施形態において、磁気共鳴イメージング装置１は、本発明の撮像部に相当する。また、上記の実施形態において、スキャン部２は、本発明のスキャン部に相当する。また、上記の実施形態において、操作コンソール部３は、本発明の操作装置に相当する。また、上記の実施形態において、画像生成部３１は、本発明の画像生成部に相当する。また、上記の実施形態において、操作部３２は、本発明の選択指令入力部に相当する。また、上記の実施形態において、表示部３３は、本発明の表示部に相当する。また、上記の実施形態において、記憶部３４は、本発明の記憶部に相当する。また、上記の実施形態において、選択部３５は、本発明の選択部に相当する。また、上記の実施形態において、検査確率算出装置１１１は、本発明の検査確率算出部に相当する。また、上記の実施形態において、院内情報システム１３１は、本発明の検査依頼入力部に相当する。また、上記の実施形態において、画像診断システム２００は、本発明の画像診断システムに相当する。
【００８０】
また、本発明の実施に際しては、上記した実施形態に限定されるものではなく、種々の変形例を採用することができる。
【００８１】
たとえば、上記の実施形態においては、表示画面に検査項目を表示させる際には、上記の他に、飾り文字を付加することなどによって、強調表示を実施してもよい。
【００８２】
また、たとえば、上記の実施形態においては、磁気共鳴イメージング装置で撮像する場合を説明したが、これに限定されない。たとえば、Ｘ線ＣＴ装置などにおいても、適用可能である。
【００８３】
また、上記の実施形態においては、検査依頼内容が「脳腫瘍疑い」の場合について示したが、これに限定されない。たとえば、被検体の遺伝子情報などを取り込めば、Ｍｏｌｅｃｌａｒ  Ｉｍａｇｉｎｇ検査プロトコルにも拡張可能である。
【図面の簡単な説明】
【００８４】
【図１】図１は、本発明にかかる実施形態において、画像診断システム２００の要部を示す全体ブロック図である。
【図２】図２は、本発明にかかる実施形態において、磁気共鳴イメージング装置１の構成を示す構成図である。
【図３】図３は、本発明にかかる実施形態において、画像診断システム２００が検査項目の確率を算出する際の動作を示すフロー図である。
【図４】図４は、本発明にかかる実施形態において、画像診断システム２００が被検体の撮像領域を撮像する際の動作を示すフロー図である。
【図５】図５は、本発明にかかる実施形態において、表示部３３が検査項目を複数表示する表示画面の要部を示す図である。
【符号の説明】
【００８５】
１…磁気共鳴イメージング装置（撮像部）、
２…スキャン部（スキャン部）、
３…操作コンソール部、
１２…静磁場マグネット部、
１３…勾配コイル部、
１４…ＲＦコイル部、
２２…ＲＦ駆動部、
２３…勾配駆動部、
２４…データ収集部、
２６…クレードル、
３０…制御部、
３１…画像生成部（画像生成部）、
３２…操作部（選択指令入力部）、
３３…表示部（表示部）、
３４…記憶部（記憶部）、
３５…選択部（選択部）、
１１１…検査確率算出装置（検査確率算出部）、
１２１…画像管理システム、
１３１…院内情報システム（検査依頼入力部）、
２００…画像診断システム（画像診断システム）
【図１】
2008073228.tif 000003
【図２】
2008073228.tif 000004
【図３】
2008073228.tif 000005
【図４】
2008073228.tif 000006
【図５】
2008073228.tif 000007